(57)【特許請求の範囲】
【請求項１】
主走査方向に並べられた複数の受光部を有する受光手段と、
主走査方向に並べられた複数の第１の発光素子を有し、主走査方向および副走査方向と直交する第１の方向における一方側に位置する読取対象物を照明する第１の発光手段と、
主走査方向に並べられた複数の第２の発光素子を有し、上記第１の方向における一方側に位置する読取対象物を照明する第２の発光手段と、
上記第１の発光手段および上記第２の発光手段を収容するケースと、
を備えており、
上記複数の第１の発光素子は、互いに間隔を隔てて主走査方向に隣り合う１対の第１の発光素子を含んでおり、
上記複数の第２の発光素子は、主走査方向において上記１対の第１の発光素子に挟まれる位置に配置された第２の発光素子を含んでおり、
上記第１の発光手段は、主走査方向に沿って長く延びる第１の基板を有しており、
上記複数の第１の発光素子は上記第１の基板に搭載されており、
上記第２の発光手段は、主走査方向に沿って長く延び、副走査方向において上記第１の基板よりも一方側に配置された第２の基板を有しており、
上記複数の第２の発光素子は上記第２の基板に搭載されており、
上記読取対象物と上記受光手段との間の光路上に配置されたレンズと、
上記読取対象物と上記レンズとの間の光路上に配置されたミラーと、
をさらに備えており、
上記読取対象物と上記ミラーとの間の光路は、副走査方向において上記第１の基板と上記第２の基板とに挟まれており、
上記第１の基板は、隣り合う上記第１の発光素子が第１の間隔で配置されている第１の箇所と、隣り合う上記第１の発光素子が上記第１の箇所よりも中心側において上記第１の間隔よりも広い第２の間隔で配置されている第２の箇所と、を有することを特徴とする、イメージセンサモジュール。
【請求項２】
上記複数の第１の発光素子のうち、主走査方向における一方側の端に位置する第１の発光素子は、上記第１の基板の主走査方向における一方側の端から第１の距離だけ離れた位置に設置されており、
上記複数の第２の発光素子のうち、主走査方向における一方側の端に位置する第２の発光素子は、上記第２の基板の主走査方向における一方側の端から上記第１の距離よりも短い第２の距離だけ離れた位置に設置されている、請求項１に記載のイメージセンサモジュール。
【請求項３】
上記複数の第１の発光素子のうち、主走査方向における他方側の端に位置する第１の発光素子は、上記第１の基板の主走査方向における他方側の端から上記第２の距離だけ離れた位置に設置されており、
上記複数の第２の発光素子のうち、主走査方向における他方側の端に位置する第２の発光素子は、上記第２の基板の主走査方向における他方側の端から上記第１の距離だけ離れた位置に設置されている、請求項２に記載のイメージセンサモジュール。
【請求項４】
上記ケースには、上記第１の基板を収容する第１の凹部および上記第２の基板を収容する第２の凹部が形成されており、
上記第１の凹部および上記第２の凹部の主走査方向における両端部は同一位置にあり、
上記第１の基板の主走査方向における一方側の端部と、上記第１の凹部の主走査方向における一方側の端部との間に設けられる第１の位置調整部材と、
上記第２の基板の主走査方向における一方側の端部と、上記第２の凹部の主走査方向における一方側の端部との間に設けられる第２の位置調整部材と、をさらに備えており、
上記第１の位置調整部材は、上記第２の位置調整部材よりも主走査方向に長く形成されている、請求項１に記載のイメージセンサモジュール。
【請求項５】
上記第１の基板の主走査方向における他方側の端部と、上記第１の凹部の主走査方向における他方側の端部との間に設けられる追加の第１の位置調整部材と、
上記第２の基板の主走査方向における他方側の端部と、上記第２の凹部の主走査方向における他方側の端部との間に設けられる追加の第２の位置調整部材と、をさらに備えており、
上記追加の第１の位置調整部材は、上記追加の第２の位置調整部材よりも主走査方向に短く形成されている、請求項４に記載のイメージセンサモジュール。
【請求項６】
上記ケースには、上記第１の基板を収容する第１の凹部および上記第２の基板を収容する第２の凹部が形成されており、
上記第１の凹部および上記第２の凹部の主走査方向における両端部は同一位置にあり、
上記第１の基板の主走査方向における一方側の端部と、上記第１の凹部の主走査方向における一方側の端部との間に設けられる第１の位置調整部材と、
上記第２の基板の主走査方向における他方側の端部と、上記第２の凹部の主走査方向における他方側の端部との間に設けられる第２の位置調整部材と、をさらに備えており、
上記第１の基板の主走査方向における他方側の端部は、上記第１の凹部の主走査方向における他方側の端部に当接しており、
上記第２の基板の主走査方向における一方側の端部は、上記第２の凹部の主走査方向における一方側の端部に当接している、請求項１に記載のイメージセンサモジュール。
【請求項７】
上記ケースには、上記第１の基板を収容する第１の凹部および上記第２の基板を収容する第２の凹部が形成されており、
上記第１の凹部の主走査方向における一方側の端部は、上記第２の凹部の主走査方向における一方側の端部よりも主走査方向において他方側に位置している、請求項１に記載のイメージセンサモジュール。
【請求項８】
上記第１の凹部の主走査方向における他方側の端部は、上記第２の凹部の主走査方向における他方側の端部よりも主走査方向において他方側に位置している、請求項７に記載のイメージセンサモジュール。
【請求項９】
上記第１の凹部に収容される金属製の第１の支持部材と、上記第２の凹部に収容される金属製の第２の支持部材とをさらに備えており、
上記第１の基板は上記第１の支持部材に支持されており、
上記第２の基板は上記第２の支持部材に支持されている、請求項４ないし８のいずれかに記載のイメージセンサモジュール。
【請求項１０】
上記第１の支持部材は、上記第１の方向における一方側ほど副走査方向における他方側に変位する第１の斜面を有しており、
上記第１の基板は上記第１の斜面に支持されており、
上記第２の支持部材は、上記第１の方向における一方側ほど副走査方向における一方側に変位する第２の斜面を有しており、
上記第２の基板は上記第２の斜面に支持されている、請求項９に記載のイメージセンサモジュール。
【請求項１１】
上記受光手段を支持する読取基板をさらに備える、請求項１ないし１０のいずれかに記載のイメージセンサモジュール。
【発明の詳細な説明】
【技術分野】
【０００１】
本発明は、発光ダイオード（ＬＥＤ）を光源として備えるイメージセンサモジュールに関する。
【背景技術】
【０００２】
イメージセンサモジュールは、縮小光学系タイプと等倍光学系タイプとに大別される。縮小光学系タイプでは、複数のミラーおよびレンズを用い、読取部に縮小画像を結像させて読み取りを行う。等倍光学系タイプでは、レンズアレイを用い、読取部に等倍画像を結像させて読み取りを行う。いずれのタイプにおいても、読取対象物を照明するための光源が必要となる。イメージセンサモジュールに用いられる光源として、基板上に複数のＬＥＤ素子を配列させたものがある（たとえば、特許文献１参照）。
【０００３】
図１９および図２０には、従来のイメージセンサモジュールで用いられる光源装置の一例を示している。図１９および図２０に示す光源装置９０は、１対の基板９１，９２と、基板９１に配列された複数のＬＥＤ素子９１１と、基板９２に配列された複数のＬＥＤ素子９２１とを備えている。１対の基板９１，９２は、光源装置９０が組み込まれるイメージセンサモジュールの主走査方向に沿って長く延びており、複数のＬＥＤ素子９１１，９２１は主走査方向に沿って配列されている。
【０００４】
図１９に示すように、光源装置９０は原稿載置台９３に載置された読取対象物９４の図中下面９４１の所定位置を図中の左右から照明するように構成されている。読取対象物９４を図中左右から照明することにより、たとえば、読取対象物９４に皺などがあった場合にも影が生じにくくなる。
【０００５】
しかしながら、このような光源装置９０では、複数のＬＥＤ素子９１１，９１２の主走査方向ｘにおけるピッチに応じて明るさにムラが生じることがあった。このような明るさのムラは、読取対象物９４が原稿載置台９３から浮いた場合などに、読取画像のムラの原因となることがあった。
【先行技術文献】
【特許文献】
【０００６】
【特許文献１】特開２０１１−６６７９９号公報
【発明の概要】
【発明が解決しようとする課題】
【０００７】
本発明は、上記した事情のもとで考え出されたものであって、明るさにムラが生じにくい光源を備えたイメージセンサモジュールを提供することをその課題とする。
【課題を解決するための手段】
【０００８】
本発明の第１の側面によって提供されるイメージセンサモジュールは、主走査方向に並べられた複数の受光部を有する受光手段と、主走査方向に並べられた複数の第１の発光素子を有し、主走査方向および副走査方向と直交する第１の方向における一方側に位置する読取対象物を照明する第１の発光手段と、主走査方向に並べられた複数の第２の発光素子を有し、上記第１の方向における一方側に位置する読取対象物を照明する第２の発光手段と、上記第１の発光手段および上記第２の発光手段を収容するケースと、を備えており、上記複数の第１の発光素子は、第１の間隔を隔てて主走査方向に隣り合う１対の第１の発光素子を含んでおり、上記複数の第２の発光素子は、主走査方向において上記１対の第１の発光素子に挟まれる位置に配置された第２の発光素子を含んでいることを特徴とする。
【０００９】
本発明の好ましい実施の形態においては、上記第１の発光手段は、主走査方向に沿って長く延びる第１の基板を有しており、上記複数の第１の発光素子は上記第１の基板に搭載されており、上記第２の発光手段は、主走査方向に沿って長く延び、副走査方向において上記第１の基板よりも一方側に配置された第２の基板を有しており、上記複数の第２の発光素子は上記第２の基板に搭載されている。
【００１０】
本発明の好ましい第１の実施の形態においては、上記複数の第１の発光素子のうち、主走査方向における一方側の端に位置する第１の発光素子は、上記第１の基板の主走査方向における一方側の端から第１の距離だけ離れた位置に設置されており、上記複数の第２の発光素子のうち、主走査方向における一方側の端に位置する第２の発光素子は、上記第２の基板の主走査方向における一方側の端から上記第１の距離よりも短い第２の距離だけ離れた位置に設置されている。
【００１１】
より好ましくは、上記複数の第１の発光素子のうち、主走査方向における他方側の端に位置する第１の発光素子は、上記第１の基板の主走査方向における他方側の端から上記第２の距離だけ離れた位置に設置されており、上記複数の第２の発光素子のうち、主走査方向における他方側の端に位置する第２の発光素子は、上記第２の基板の主走査方向における他方側の端から上記第１の距離だけ離れた位置に設置されている。
【００１２】
本発明の好ましい第２の実施の形態においては、上記ケースには、上記第１の基板を収容する第１の凹部および上記第２の基板を収容する第２の凹部が形成されており、上記第１の凹部および上記第２の凹部の主走査方向における両端部は同一位置にあり、上記第１の基板の主走査方向における一方側の端部と、上記第１の凹部の主走査方向における一方側の端部とに間に設けられる第１の位置調整部材と、上記第２の基板の主走査方向における一方側の端部と、上記第２の凹部の主走査方向における一方側の端部とに間に設けられる第２の位置調整部材と、をさらに備えており、上記第１の位置調整部材は、上記第２の位置調整部材よりも主走査方向に長く形成されている。
【００１３】
より好ましくは、上記第１の基板の主走査方向における他方側の端部と、上記第１の凹部の主走査方向における他方側の端部とに間に設けられる追加の第１の位置調整部材と、上記第２の基板の主走査方向における他方側の端部と、上記第２の凹部の主走査方向における他方側の端部とに間に設けられる追加の第２の位置調整部材と、をさらに備えており、上記追加の第１の位置調整部材は、上記追加の第２の位置調整部材よりも主走査方向に短く形成されている。
【００１４】
本発明の好ましい第３の実施の形態においては、上記ケースには、上記第１の基板を収容する第１の凹部および上記第２の基板を収容する第２の凹部が形成されており、上記第１の凹部および上記第２の凹部の主走査方向における両端部は同一位置にあり、上記第１の基板の主走査方向における一方側の端部と、上記第１の凹部の主走査方向における一方側の端部とに間に設けられる第１の位置調整部材と、上記第２の基板の主走査方向における他方側の端部と、上記第２の凹部の主走査方向における他方側の端部とに間に設けられる第２の位置調整部材と、をさらに備えており、上記第１の基板の主走査方向における他方側の端部は、上記第１の凹部の主走査方向における他方側の端部に当接しており、上記第２の基板の主走査方向における一方側の端部は、上記第２の凹部の主走査方向における一方側の端部に当接している。
【００１５】
本発明の好ましい第４の実施の形態においては、上記ケースには、上記第１の基板を収容する第１の凹部および上記第２の基板を収容する第２の凹部が形成されており、上記第１の凹部の主走査方向における一方側の端部は、上記第２の凹部の主走査方向における一方側の端部よりも主走査方向において他方側に位置している。
【００１６】
好ましくは、上記第１の凹部の主走査方向における他方側の端部は、上記第２の凹部の主走査方向における他方側の端部よりも主走査方向において他方側に位置している。
【００１７】
本発明のより好ましい実施の形態においては、上記第１の凹部に収容される金属製の第１の支持部材と、上記第２の凹部に収容される金属製の第２の支持部材とをさらに備えており、上記第１の基板は上記第１の支持部材に支持されており、上記第２の基板は上記第２の支持部材に支持されている。
【００１８】
より好ましくは、上記第１の支持部材は、上記第１の方向における一方側ほど副走査方向における他方側に変位する第１の斜面を有しており、上記第１の基板は上記第１の斜面に支持されており、上記第２の支持部材は、上記第１の方向における一方側ほど副走査方向における一方側に変位する第２の斜面を有しており、上記第２の基板は上記第２の斜面に支持されている。
【００１９】
本発明の好ましい実施の形態においては、上記受光手段を支持する読取基板と、主走査方向に長く延び、上記第１の方向において上記読取基板の一方側に配置されるレンズアレイと、をさらに備えており、上記レンズアレイは、副走査方向において上記第１の基板および上記第２の基板に挟まれている。
【００２０】
好ましい一例では、上記複数の第１の発光素子および上記複数の第２の発光素子は、上記第１の間隔ごとに配列されている。
【００２１】
上述の好ましい一例においては、上記各第２の発光素子は、主走査方向において、上記複数の第１の発光素子のいずれかから上記第１の間隔の半分の距離だけ離れている。
【００２２】
本発明の好ましい実施の形態においては、上記第１の方向において、上記第１の発光手段および上記第２の発光手段の一方側に配置される透明カバーと、上記透明カバーの上記第１の方向における他方側の面を、上記第１の方向視において上記レンズアレイと重なる領域を露出させるように覆う光拡散部材と、をさらに備えている。
【００２３】
本発明の別の好ましい実施の形態においては、上記受光手段を支持する読取基板と、上記読取対象物と上記受光手段との間の光路上に配置されたレンズと、上記読取対象物と上記レンズとの間の光路上に配置されたミラーと、をさらに備えており、上記読取対象物と上記ミラーとの間の光路は、副走査方向において上記第１の基板と上記第２の基板とに挟まれている。
【００２４】
このような構成によれば、上記第１の発光手段は、上記複数の第１の発光素子のピッチに応じた明るさのムラを有する傾向がある。すなわち、主走査方向において、上記第１の発光素子がある部分は比較的明るく、隣り合う１対の第１の発光素子同士の間の部分は比較的暗くなる。同様に、上記第２の発光手段においても、上記第２の発光素子がある部分は比較的明るく、隣り合う１対の第２の発光素子同士の間の部分は比較的暗くなる。本発明の構成においては、上記第２の発光素子が、主走査方向において、隣り合う１対の第１の発光素子の間に挟まれるように配置されている。このため、第１の発光手段が比較的暗くなる部分では第２の発光手段が比較的明るくなり、明るさのムラが相殺されることになる。従って、本発明に基づくイメージセンサモジュールは、第１の発光手段および第２の発光手段によって読取対象物をよりムラの少ない明るさで照明して読み取りを行うことができる。
【００２５】
本発明の第２の側面によって提供されるイメージセンサモジュールは、主走査方向に並べられた複数の受光部を有する受光手段と、主走査方向および副走査方向と直交する第１の方向における一方側に位置する読取対象物を照明する第１の発光手段と、副走査方向において上記第１の発光手段よりも一方側に位置し、上記第１の方向における一方側に位置する読取対象物を照明する第２の発光手段と、上記第１の発光手段および上記第２の発光手段を収容するケースと、を備えており、上記第１の発光手段は、主走査方向に長く延びる第１の導光体を有しており、上記第１の導光体には、主走査方向に並べられた複数の第１の溝部が形成されており、上記第２の発光手段は、主走査方向に長く延びる第２の導光体を有しており、上記第２の導光体には、主走査方向に並べられた複数の第２の溝部が形成されており、上記複数の第１の溝部は、第１の間隔を隔てて主走査方向に隣り合う１対の第１の溝部を含んでおり、上記複数の第２の溝部は、主走査方向において上記１対の第１の溝部に挟まれる位置に配置された第２の溝部を含んでいることを特徴とする。
【００２６】
本発明の第２の側面の好ましい実施の形態においては、上記ケースには、上記第１の発光手段を収容する第１の凹部および上記第２の発光手段を収容する第２の凹部が形成されており、上記第１の凹部および上記第２の凹部の主走査方向における両端部は同一位置にあり、上記第１の発光手段は、主走査方向において上記第１の導光体を挟む１対の第１の発光部を有しており、上記第２の発光手段は、主走査方向において上記第２の導光体を挟む１対の第２の発光部を有している。
【００２７】
本発明の第２の側面の好ましい第１の実施の形態においては、上記１対の第１の発光部のうち主走査方向における一方側の第１の発光部は、主走査方向において、上記１対の第２の発光部のうち主走査方向における一方側の第２の発光部よりも長く形成されている。
【００２８】
より好ましくは、上記１対の第１の発光部のうち主走査方向における他方側の第１の発光部は、主走査方向において、上記１対の第２の発光部のうち主走査方向における他方側の第２の発光部よりも短く形成されている。
【００２９】
本発明の第２の側面の好ましい第２の実施の形態においては、上記１対の第１の発光部のうち主走査方向における一方側の第１の発光部の主走査方向における一方側の端部と、上記第１の凹部の主走査方向における一方側の端部とに間に設けられる第１の位置調整部材と、上記１対の第２の発光部のうち主走査方向における一方側の第２の発光部の主走査方向における一方側の端部と、上記第２の凹部の主走査方向における一方側の端部とに間に設けられる第２の位置調整部材と、をさらに備えており、上記第１の位置調整部材は、上記第２の位置調整部材よりも主走査方向に長く形成されている。
【００３０】
より好ましくは、上記１対の第１の発光部のうち主走査方向における他方側の第１の発光部の主走査方向における他方側の端部と、上記第１の凹部の主走査方向における他方側の端部とに間に設けられる追加の第１の位置調整部材と、上記１対の第２の発光部のうち主走査方向における他方側の第２の発光部の主走査方向における他方側の端部と、上記第２の凹部の主走査方向における他方側の端部とに間に設けられる追加の第２の位置調整部材と、をさらに備えており、上記追加の第１の位置調整部材は、上記追加の第２の位置調整部材よりも主走査方向に短く形成されている。
【００３１】
本発明の第２の側面の好ましい第３の実施の形態においては、上記１対の第１の発光部のうち主走査方向における一方側の第１の発光部の主走査方向における一方側の端部と、上記第１の凹部の主走査方向における一方側の端部とに間に設けられる第１の位置調整部材と、上記１対の第２の発光部のうち主走査方向における他方側の第２の発光部の主走査方向における他方側の端部と、上記第２の凹部の主走査方向における他方側の端部とに間に設けられる第２の位置調整部材と、をさらに備えており、上記第１の発光部のうち主走査方向における他方側の第１の発光部の主走査方向における他方側の端部は、上記第１の凹部の主走査方向における他方側の端部に当接しており、上記第２の発光部のうち主走査方向における一方側の第２の発光部の主走査方向における一方側の端部は、上記第２の凹部の主走査方向における一方側の端部に当接している。
【００３２】
本発明の第２の側面の好ましい第４の実施の形態においては、上記ケースには、上記第１の発光手段を収容する第１の凹部および上記第２の発光手段を収容する第２の凹部が形成されており、上記第１の凹部の主走査方向における一方側の端部は、上記第２の凹部の主走査方向における一方側の端部よりも主走査方向において他方側に位置している。
【００３３】
好ましくは、上記第１の凹部の主走査方向における他方側の端部は、上記第２の凹部の主走査方向における他方側の端部よりも主走査方向において他方側に位置している。
【００３４】
本発明のその他の特徴および利点は、添付図面を参照して以下に行う詳細な説明によって、より明らかとなろう。
【図面の簡単な説明】
【００３５】
【図１】本発明の第１実施形態に基づくイメージセンサモジュールを示す要部平面図である。
【図２】図１のイメージセンサモジュールを示す要部拡大平面図である。
【図３】図１のＩＩＩ−ＩＩＩ線に沿う断面図である。
【図４】図１のイメージセンサモジュールのセンサＩＣを示す要部平面図である。
【図５】図４のＶ−Ｖ線に沿う要部拡大断面図である。
【図６】本発明の第２実施形態に基づくイメージセンサモジュールを示す要部拡大平面図である。
【図７】本発明の第３実施形態に基づくイメージセンサモジュールを示す要部拡大平面図である。
【図８】本発明の第４実施形態に基づくイメージセンサモジュールを示す要部拡大平面図である。
【図９】本発明の第５実施形態に基づくイメージセンサモジュールを示す概略構成図である。
【図１０】図９に示すイメージセンサモジュールの要部拡大平面図である。
【図１１】本発明の第６実施形態に基づくイメージセンサモジュールを示す要部平面図である。
【図１２】図１１に示すイメージセンサモジュールの要部拡大平面図である。
【図１３】図１１のＸＩＩＩ−ＸＩＩＩ線に沿う断面図である。
【図１４】図１３に示す導光体を説明するための図である。
【図１５】図１１に示すイメージセンサモジュールの要部を説明するための底面図である。
【図１６】図１１に示すイメージセンサモジュールの変形例を示す要部平面図である。
【図１７】図１１に示すイメージセンサモジュールの変形例を示す要部平面図である。
【図１８】図１１に示すイメージセンサモジュールの変形例を示す要部平面図である。
【図１９】従来のイメージセンサモジュールの一例を示す断面図である。
【図２０】図１９に示すイメージセンサモジュールの要部を示す平面図である。
【発明を実施するための形態】
【００３６】
以下、本発明の好ましい実施の形態につき、図面を参照して具体的に説明する。
【００３７】
図１〜図３は、本発明の第１実施形態に基づくイメージセンサモジュールを示している。本実施形態のイメージセンサモジュール１０１は、等倍光学系タイプのものであり、ケース２００、読取基板３００、第１の発光手段４１０、第２の発光手段４２０、第１の支持部材５１０、第２の支持部材５２０、複数のスペーサ５３０、レンズユニット６００、センサＩＣ７００、透明カバー８００、第１の光拡散部材８１０、および、第２の光拡散部材８２０を備えている。なお、簡略化のために、図１および図２では、透明カバー８００、第１の光拡散部材８１０、および、第２の光拡散部材８２０を省略している。イメージセンサモジュール１０１は、たとえば、Ａ３サイズの比較的大判な原稿８９０を読み取る用途に用いられる。
【００３８】
ケース２００は、イメージセンサモジュール１０１の外形を構成し、その他の構成要素を収容している。ケース２００は、主走査方向ｘに長く延びており、副走査方向ｙおよび厚さ方向ｚ（主走査方向ｘおよび副走査方向ｙのいずれに対しても直角である方向）によって規定される断面形状が、概略矩形状とされている。なお、厚さ方向ｚは、本発明で言う第１の方向に相当する。ケース２００の材質としては、たとえばアルミニウムが挙げられる。
【００３９】
図１に示すように、ケース２００には、第１の凹部２１０、第２の凹部２２０、および、溝２３０が形成されている。第１の凹部２１０、第２の凹部２２０、および、溝２３０は、それぞれ主走査方向ｘに長く延びている。図３に示すように、副走査方向ｙにおいて、第１の凹部２１０は溝２３０の図中右側に位置し、第２の凹部２２０は溝２３０の図中左側に位置している。本実施形態では、第１の凹部２１０および第２の凹部２２０の両端部は主走査方向ｘにおいて同一の位置にある。
【００４０】
図３に示すように、ケース２００には、厚さ方向ｚにおける図中上方に開口する開口部２４０と、厚さ方向ｚにおける図中下方に開口する開口部２５０とが形成されている。開口部２４０には透明カバー８００が嵌め込まれ、開口部２５０には読取基板３００が嵌め込まれている。
【００４１】
読取基板３００は、主走査方向ｘを長手方向、副走査方向ｙを幅方向とする長矩形状であり、たとえば、ガラスエポキシ樹脂、またはセラミックスからなる。基板３００には、センサＩＣ７００が搭載されている。また、第１の発光手段４１０および第２の発光手段４２０が接続されている。
【００４２】
図３に示すように、第１の発光手段４１０および第２の発光手段４２０は、厚さ方向ｚにおける図中上方側に位置する読取対象物８９０を照明するように構成されている。本実施形態では、第１の発光手段４１０および第２の発光手段４２０は、副走査方向ｙにおいてレンズアレイ６００を間に挟んで離間している。読取対象物８９０のレンズアレイ６００の図３中真上に位置する帯状領域８００Ａを、第１の発光手段４１０は図中右方側から照明し、第２の発光手段４２０は図中左方側から照明する。帯状領域８００Ａの副走査方向ｙにおける長さ寸法は、たとえば２ｍｍ程度である。
【００４３】
第１の発光手段４１０は、第１の基板４１１と、主走査方向ｘに並べられた複数のＬＥＤモジュール４１２とを有している。第１の基板４１１は、たとえばガラスエポキシ樹脂またはセラミックスからなる絶縁基板であり、主走査方向ｘに長く延びる長矩形状である。第１の基板４１１には複数のＬＥＤモジュール４１２を点灯させるための図示しない配線パターンが形成されている。第１の基板４１１は、第１の支持部材５１０に支持されている。
【００４４】
ＬＥＤモジュール４１２は、本発明で言う第１の発光素子に相当し、白色光を出射するように構成されている。各ＬＥＤモジュール４１２は、たとえば、青色光を出射するＬＥＤチップと、ＬＥＤチップを覆う蛍光樹脂とを備えている。蛍光樹脂は、たとえばＬＥＤチップ４０からの青色光によって励起されることにより黄色光を発する。ＬＥＤチップからの青色光と上記蛍光材料からの黄色光とが混色することにより、ＬＥＤモジュール４１２からは白色光が発せられる。なお、上記蛍光材料に代えて、青色光によって励起されることにより赤色光を発する蛍光材料と緑色光を発する蛍光材料とを合わせて用いてもよい。
【００４５】
図２に示すように、複数のＬＥＤモジュール４１２は、第１の基板４１１に一定の間隔ｄＰで並べられている。複数のＬＥＤモジュール４１２のうち、主走査方向ｘにおける図２中右方側の端に位置するＬＥＤモジュール４１２ａは、第１の基板４１１の図２中右端から第１の距離ｄＡだけ離れた位置に設置されている。複数のＬＥＤモジュール４１２のうち、主走査方向ｘにおける図２中左方側の端に位置するＬＥＤモジュール４１２ｂは、第１の基板４１１の図２中左端から第２の距離ｄＢだけ離れた位置に設置されている。本実施形態では、距離ｄＢは、距離ｄＡよりも間隔ｄＰの半分の長さだけ短くなっている。
【００４６】
第２の発光手段４２０は、第２の基板４２１と、主走査方向ｘに並べられた複数のＬＥＤモジュール４２２とを有している。第２の基板４２１は、たとえばガラスエポキシ樹脂またはセラミックスからなる絶縁基板であり、主走査方向ｘに長く延びる長矩形状である。本実施形態では、第１の基板４１１と第２の基板４２１とは、主走査方向ｘにおける寸法が同一である。第２の基板４２１には複数のＬＥＤモジュール４２２を点灯させるための図示しない配線パターンが形成されている。第２の基板４２１は、第２の支持部材５２０に支持されている。
【００４７】
ＬＥＤモジュール４２２は、本発明で言う第２の発光素子に相当し、白色光を出射するように構成されている。各ＬＥＤモジュール４２２は、各ＬＥＤモジュール４１２と同様に、青色光を出射するＬＥＤチップと、ＬＥＤチップを覆う蛍光樹脂とを備えている。
【００４８】
図２に示すように、複数のＬＥＤモジュール４２２は、第２の基板４２１に一定の間隔ｄＰで並べられている。複数のＬＥＤモジュール４２２のうち、主走査方向ｘにおける図２中右方側の端に位置するＬＥＤモジュール４２２ａは、第２の基板４２１の図２中右端から第２の距離ｄＢだけ離れた位置に設置されている。複数のＬＥＤモジュール４２２のうち、主走査方向ｘにおける図２中左方側の端に位置するＬＥＤモジュール４２２ｂは、第２の基板４２１の図２中左端から第１の距離ｄＡだけ離れた位置に設置されている。
【００４９】
なお、具体的には、間隔ｄＰはたとえば５〜２０ｍｍであり、距離ｄＡはたとえば２〜１５ｍｍであり、距離ｄＢはたとえば１〜１０ｍｍである。
【００５０】
上述の構成によれば、図２に示すように、複数のＬＥＤモジュール４２２の列は、複数のＬＥＤモジュール４１２の列に対して、間隔ｄＰの半分の長さ分だけずれた位置に配置されることになる。すなわち、各ＬＥＤモジュール４２２は、複数のＬＥＤモジュール４１２のいずれかから、間隔ｄＰの半分の距離だけ離れている。換言すれば、隣り合う１対のＬＥＤモジュール４１２に挟まれる位置に、ＬＥＤモジュール４２２は配置されている。
【００５１】
第１の支持部材５１０は、金属製であり、主走査方向ｘに長く延びるように形成されている。本実施形態では、第１の支持部材５１０は、主走査方向ｘにおける長さが第１の基板４１１と同じとなるように形成されている。第１の支持部材５１０の材質としては、たとえばアルミニウムを用いることができる。図３に示すように、第１の支持部材５１０は、ｚ方向における上方側ほど、副走査方向ｙにおける右方側に変位する第１の斜面５１１を有している。第１の斜面５１１に第１の基板４１１は固定されている。
【００５２】
図３に示すように、第１の支持部材５１０の図中右下部分は凹んでいる。この凹みには、たとえば、第１の基板４１１に設けられた配線パターンと読取基板３００とを接続するためのケーブルが収容される。
【００５３】
第２の支持部材５２０は、金属製であり、主走査方向ｘに長く延びるように形成されている。本実施形態では、第２の支持部材５２０は、主走査方向ｘにおける長さが第１の基板４１１および第２の基板４２１と同じとなるように形成されている。第２の支持部材５２０の材質としては、たとえばアルミニウムを用いることができる。図３に示すように、第２の支持部材５２０は、ｚ方向における上方側ほど、副走査方向ｙにおける左方側に変位する第２の斜面５２１を有している。第２の斜面５２１に第２の基板４２１は固定されている。
【００５４】
図２に示すように、第１の支持部材５１０および第２の支持部材５２０の主走査方向ｘにおける両側には、それぞれスペーサ５３０が配置されている。本実施形態における４つのスペーサ５３０は同一のものである。４つのスペーサ５３０の１つは、第１の支持部材５１０および第１の基板４１１の主走査方向ｘにおける図２中右方側の端部と、第１の凹部２１０の主走査方向ｘにおける図２中右方側の端部との間に設けられている。また、別の１つは、第１の支持部材５１０および第１の基板４１１の主走査方向ｘにおける図２中左方側の端部と、第１の凹部２１０の主走査方向ｘにおける図２中左方側の端部との間に設けられている。これらのスペーサ５３０は、第１の凹部２１０内における、第１の支持部材５１０および第１の基板４１１の主走査方向ｘの位置を固定するために設けられている。また、別の１つは、第２の支持部材５２０および第２の基板４２１の主走査方向ｘにおける図２中右方側の端部と、第２の凹部２２０の主走査方向ｘにおける図２中右方側の端部との間に設けられている。また、別の１つは、第２の支持部材５２０および第２の基板４２１の主走査方向ｘにおける図２中左方側の端部と、第２の凹部２２０の主走査方向ｘにおける図２中左方側の端部との間に設けられている。これらのスペーサ５３０は、第２の凹部２２０内における、第２の支持部材５２０および第２の基板４２１の主走査方向ｘの位置を固定するために設けられている。本実施形態では、図２に示すように、第１の基板４１１および第２の基板４２１が主走査方向ｘにおいて同一の位置に配置されている。
【００５５】
図３に示すように、第２の支持部材５２０の図中左下部分は凹んでいる。この凹みには、たとえば、第２の基板４２１に設けられた配線パターンと読取基板３００とを接続するためのケーブルが収容される。
【００５６】
レンズユニット６００は、読み取り対象物８９０から厚さ方向ｚに進行してきた光を、正立等倍でセンサＩＣ７００に集光する。レンズユニット６００は、複数のレンズ６１０とレンズホルダ６２０とからなる。複数のレンズ６１０は、それぞれの光軸が厚さ方向ｚに沿っており、主走査方向ｘに配列されている。レンズホルダ６２０は、不透明な樹脂からなり、複数のレンズ６１０を保持している。
【００５７】
センサＩＣ７００は、本発明で言う受光手段の一例であり、読取基板３００に搭載されている。図４および図５に示すように、センサＩＣ７００は、複数の受光部７１０および複数のフィルタ７２０を備える。
【００５８】
複数のフィルタ７２０は、第１フィルタ７２１、第２フィルタ７２２、および第３フィルタ７２３からなる。これらの第１〜第３フィルタ７２１，７２２，７２３は、それぞれが主走査方向ｘに延びる帯状であり、副走査方向ｙに間隔を置いて互いに平行に配置されている。本実施形態においては、第１フィルタ７２１は、赤色光を選択的に透過させるものであり、赤色以外の可視光および紫外光を減衰させる。第２フィルタ７２２は、緑色光を選択的に透過させるものであり、緑色以外の可視光および紫外光を減衰させる。第３フィルタ７２３は、青色光を選択的に透過させるものであり、青色以外の可視光および紫外光を減衰させる。
【００５９】
複数の受光部７１０は、第１グループ７１１、第２グループ７１２、および第３グループ７１３に分けられている。第１〜第３グループ７１１，７１２，７１３は、各々が主走査方向ｘに沿って、たとえば４３μｍごとに配列されている。また、第１〜第３グループ７１１，７１２，７１３は、副走査方向ｙに、たとえば４３μｍの距離を隔てて互いに平行に配置されている。第１グループ７１１は、第１フィルタ７２１によって覆われており、第２グループ７１２は、第２フィルタ７２２によって覆われており、第３グループ７１３は、第３フィルタ７２３によって覆われている。
【００６０】
レンズユニット６００によって集光された光は、第１〜第３フィルタ７２１，７２２，７２３を透過して、第１〜第３グループ７１１，７１２，７１３に受光される。第１グループ７１１は、集光された光の赤色成分を受光し、第２グループ７１２は、集光された光の緑色成分を受光し、第３グループ７１３は、集光された光の青色成分を受光する。センサＩＣ７００は、たとえばパッド７３０から、第１グループ７１１、第２グループ７１２、第３グループ７１３ごとに、受光した光の強度に応じた強さの電気信号を出力する光電変換機能を有する。
【００６１】
透明カバー８００は、たとえば、ガラスまたはアクリル樹脂製であり、主走査方向ｘに長く延びる板状に形成されている。透明カバー８００は、第１の発光手段４１０および第２の発光手段４２０からの光を透過する。
【００６２】
第１の光拡散部材８１０および第２の光拡散部材８２０は、第１の発光手段４１０および第２の発光手段４２０からの光を拡散させつつ透過させる部材である。第１の光拡散部材８１０および第２の光拡散部材８２０は、たとえば、白色の樹脂製シートであり、透明カバー８００の図３中下面に、主走査方向ｘの略全長に渡って貼り付けられている。図３に示すように、第１の拡散部材８１０は、帯状領域８００Ａを露出させるように、帯状領域８００Ａよりも図中右方側に設けられている。第１の拡散部材８１０の図中右方側の端は、たとえば、第１の基板４１１の図中右方側の端とほぼ同じ位置である。また、第２の光拡散部材８２０は、帯状領域８００Ａを露出させるように、帯状領域８００Ａよりも図中左方側に設けられている。第２の拡散部材８２０の図中左方側の端は、たとえば、第２の基板４２１の図中左方側の端とほぼ同じ位置である。このような構成とすることで、第１の発光手段４１０から読取対象物８９０へ向かう光は第１の光拡散部材８１０を通過し、第２の発光手段４２０から読取対象物８９０へ向かう光は第２の光拡散部材８２０を通過する。かつ、読取対象物８９０で反射してレンズアレイ６００へ向かう光が、第１の光拡散部材８１０または第２の光拡散部材８２０により散乱されるのを防ぐことができる。
【００６３】
次に、イメージセンサモジュール１０１の作用について説明する。
【００６４】
第１の発光手段４１０では、複数のＬＥＤモジュール４１２が等ピッチ（間隔ｄＰ）で並べられており、このピッチに応じた明暗ができる傾向がある。すなわち、複数のＬＥＤモジュール４１２同士の間の部分において比較的暗くなる傾向がある。この傾向は第２の発光手段４２０にも見られるものである。本実施形態によれば、図２に示すように、複数のＬＥＤモジュール４１２の列と、複数のＬＥＤモジュール４２２の列とが、間隔ｄＰの半分の距離だけずれている。このため、主走査方向ｘにおいて複数のＬＥＤモジュール４１２が配置されていない位置に複数のＬＥＤモジュール４２２が配置されることになり、第１の発光手段４１０が比較的暗くなる部分では、第２の発光手段４２０が比較的明るくなる。従って、イメージセンサモジュール１０１では、第１の発光手段４１０と第２の発光手段４２０とが互いの明るさのムラを相殺する構成となっており、読取対象物８９０をよりムラの少ない明るさで照明して読み取りを行うことができる。
【００６５】
さらに、本実施形態では、第１の光拡散部材８１０および第２の光拡散部材８２０が設けられており、第１の発光手段４１０および第２の発光手段４２０からの光は読取対象物８９０に届く前にある程度拡散されることになる。このため、第１の発光手段４１０および第２の発光手段４２０からの光は明暗がぼやけやすくなっており、よりムラの少ない照明を得ることができる。
【００６６】
またさらに、本実施形態では、第１の支持部材５１０、第２の支持部材５２０、および、ケース２００が金属製であり、複数のＬＥＤモジュール４１２，４２２が駆動時に発する熱を冷却する上で望ましい構成となっている。
【００６７】
図６〜図１８は、本発明の他の実施形態を示している。なお、これらの図において、上記実施形態と同一または類似の要素には、上記実施形態と同一の符号を付している。
【００６８】
図６は、本発明の第２実施形態に基づくイメージセンサモジュールを示している。本実施形態のイメージセンサモジュール１０２は、４つのスペーサ５３０の代わりに２種類のスペーサ５３１，５３２を２つずつ備えている点でイメージセンサモジュール１０１と異なっている。また、第１の発光手段４１０および第２の発光手段４２０についても以下の点でイメージセンサモジュール１０１と異なっている。
【００６９】
本実施形態では、図６に示すように、ＬＥＤモジュール４１２ａは第１の基板４１１の主走査方向ｘにおける図中右方側の端部から距離ｄＢだけ離れた位置に設置されている。また、ＬＥＤモジュール４２２ｂは第２の基板４２１の主走査方向ｘにおける図中左方側の端部から距離ｄＢだけ離れた位置に設置されている。すなわち、本実施形態では、第１の基板４１１における複数のＬＥＤモジュール４１２の配置と、第２の基板４２１における複数のＬＥＤモジュール４２２の配置は同様となっている。このため、本実施形態では、第１の発光手段４１０および第２の発光手段４２０に互換性があり、共通の部品を共用可能である。
【００７０】
スペーサ５３１は、図６に示すように、主走査方向ｘにおいてスペーサ５３２よりも、間隔ｄＰの半分の長さ分だけ長くなるように形成されている。スペーサ５３１の１つは、第１の基板４１１の主走査方向ｘにおける図６中右方側の端部と、第１の凹部２１０の主走査方向ｘにおける図６中右方側の端部との間に設けられている。このスペーサ５３１は、本発明で言う第１の位置調整部材に相当する。
【００７１】
スペーサ５３２の１つは、第２の基板４２１の主走査方向ｘにおける図６中右方側の端部と、第２の凹部２２０の主走査方向ｘにおける図６中右方側の端部との間に設けられている。このスペーサ５３２は、本発明で言う第２の位置調整部材に相当する。
【００７２】
さらに、スペーサ５３１のもう１つは、第２の基板４２１の主走査方向ｘにおける図６中左方側の端部と、第２の凹部２２０の主走査方向ｘにおける図６中左方側の端部との間に設けられている。このスペーサ５３１は、本発明で言う追加の第２の位置調整部材に相当する。
【００７３】
さらに、スペーサ５３２の１つは、第１の基板４１１の主走査方向ｘにおける図６中左方側の端部と、第１の凹部２１０の主走査方向ｘにおける図６中左方側の端部との間に設けられている。このスペーサ５３２は、本発明で言う追加の第１の位置調整部材に相当する。
【００７４】
これらのスペーサ５３１およびスペーサ５３２によって、図６に示すように、第１の基板４１１と第２の基板４２１とが、主走査方向ｘにおいて間隔ｄＰの半分の長さ分だけずれた位置に配置されることになる。このため、ＬＥＤモジュール４１２の列と、ＬＥＤモジュール４２２の列とが、イメージセンサモジュール１０１の場合と同様に、間隔ｄＰの半分の長さ分だけずれ、互いの明暗を補うようになっている。
【００７５】
図７は、本発明の第３実施形態に基づくイメージセンサモジュールを示している。本実施形態のイメージセンサモジュール１０３は、４つのスペーサ５３０の代わりに２つのスペーサ５３３を備えている点でイメージセンサモジュール１０１と異なっている。また、第１の光源手段４１０および第２の光源手段４２０の細部がイメージセンサモジュール１０１とは異なっている。
【００７６】
本実施形態では、図７に示すように、ＬＥＤモジュール４１２ａは第１の基板４１１の主走査方向ｘにおける図中右方側の端部から距離ｄＣだけ離れた位置に設置されている。ＬＥＤモジュール４１２ｂは第１の基板４１１の主走査方向ｘにおける図中左方側の端部から距離ｄＣだけ離れた位置に設置されている。また、ＬＥＤモジュール４２２ａは第２の基板４２１の主走査方向ｘにおける図中右方側の端部から距離ｄＣだけ離れた位置に設置されている。ＬＥＤモジュール４２２ｂは第２の基板４２１の主走査方向ｘにおける図中左方側の端部から距離ｄＣだけ離れた位置に設置されている。すなわち、本実施形態では、第１の基板４１１における複数のＬＥＤモジュール４１２の配置と、第２の基板４２１における複数のＬＥＤモジュール４２２の配置は同様となっている。このため、本実施形態では、第１の発光手段４１０および第２の発光手段４２０に互換性があり、共通の部品を共用可能である。
【００７７】
さらに、本実施形態では、図７に示すように、第１の基板４１１の主走査方向ｘにおける図中左方側の端部が第１の凹部２１０の図中左方側の端部に当接している。また、第２の基板４２１の主走査方向ｘにおける図中右方側の端部が第２の凹部２２０の図中右方側の端部に当接している。
【００７８】
図７に示すように、スペーサ５３３の１つは、第１の基板４１１の主走査方向ｘにおける図中右方側の端部と、第１の凹部２１０の主走査方向ｘにおける図中右方側の端部との間に設けられている。スペーサ５３３のもう１つは、第２の基板４２１の主走査方向ｘにおける図中左方側の端部と、第２の凹部２２０の主走査方向ｘにおける図中左方側の端部との間に設けられている。
【００７９】
スペーサ５３３は、たとえば、主走査方向ｘにおける寸法が間隔ｄＰの半分の長さとなるように形成されている。このようなスペーサ５３３を上述のように配置することにより、第１の基板４１１と第２の基板４２１とが主走査方向ｘにおいて間隔ｄＰの半分の長さだけずれることになる。このため、ＬＥＤモジュール４１２の列と、ＬＥＤモジュール４２２の列とが、イメージセンサモジュール１０１の場合と同様に、間隔ｄＰの半分の長さ分だけずれ、互いの明暗を補うようになっている。
【００８０】
図８は、本発明の第４実施形態に基づくイメージセンサモジュールを示している。本実施形態のイメージセンサモジュール１０４は、第１の凹部２１０および第２の凹部２２０の位置がイメージセンサモジュール１０１の場合と異なっている。また、第１の光源手段４１０および第２の光源手段４２０の細部がイメージセンサモジュール１０１とは異なっている。
【００８１】
本実施形態では、図８に示すように、ＬＥＤモジュール４１２ａは第１の基板４１１の主走査方向ｘにおける図中右方側の端部から距離ｄＢだけ離れた位置に設置されている。また、ＬＥＤモジュール４２２ｂは第２の基板４２１の主走査方向ｘにおける図中左方側の端部から距離ｄＢだけ離れた位置に設置されている。すなわち、本実施形態では、第１の基板４１１における複数のＬＥＤモジュール４１２の配置と、第２の基板４２１における複数のＬＥＤモジュール４２２の配置は同様となっている。このため、本実施形態では、第１の発光手段４１０および第２の発光手段４２０に互換性があり、共通の部品を共用可能である。
【００８２】
さらに、本実施形態では、図８に示すように、第１の凹部２１０の主走査方向ｘにおける図中右方側の端部は、第２の凹部２２０の主走査方向ｘにおける図中右方側の端部よりも主走査方向ｘにおいて左方側に位置している。また、第１の凹部２１０の主走査方向ｘにおける図中左方側の端部は、第２の凹部２２０の主走査方向ｘにおける図中左方側の端部よりも主走査方向ｘにおいて左方側に位置している。すなわち、第２の凹部２２０は第１の凹部２１０に対して間隔ｄＰの半分の長さ分だけずれた位置に形成されている。このような構成によっても、第１の基板４１１と第２の基板４２１とを主走査方向ｘにおいて間隔ｄＰの半分の長さだけずらすことが可能である。本実施形態においても、ＬＥＤモジュール４１２の列と、ＬＥＤモジュール４２２の列とが、イメージセンサモジュール１０１の場合と同様に、間隔ｄＰの半分の長さ分だけずれ、互いの明暗を補うようになっている。
【００８３】
図９および図１０は、本発明の第５実施形態に基づくイメージセンサモジュールを示している。本実施形態のイメージセンサモジュール１０５は、縮小光学系タイプのものであり、ケース２００と、読取基板３００と、第１の発光手段４１０と、第２の発光手段４２０と、第１の支持部材５１０と、第２の支持部材５２０と、複数のスペーサ５３０と、レンズ６３０と、複数のミラー６４０と、センサＩＣ７００とを備えている。
【００８４】
本実施形態のケース２００には、第１の発光手段４１０を収容する第１の凹部２１０と、第２の発光手段４２０を収容する第２の凹部２２０と、副走査方向ｙにおいて第１の凹部２１０および第２の凹部２２０に挟まれた溝２３０が形成されている。本実施形態における第１の凹部２１０および第２の凹部２２０は、イメージセンサモジュール１０１の場合と同様に、主走査方向ｘにおいて同一の位置に形成されている。
【００８５】
複数のミラー６４０の１つは、溝２３０の図９中下方側に配置されており、溝２３０を通過した読取対象物８９０からの光を他のミラー６４０へと反射する。換言すれば、読取対象物８９０とミラー６４０との間の光路は溝２３０に挟まれている。
【００８６】
レンズ６３０は、読取対象物８９０とセンサＩＣ７００との間の光路上に配置されている。複数のミラー６４０は、読取対象物８９０とレンズ６３０との間の光路上に配置されている。溝２３０を通過してミラー６４０に反射された光は、レンズ６３０によってセンサＩＣ７００の図示しない受光部に結像させられる。なお、本実施形態のセンサＩＣ７００は、たとえば、電荷結合素子（ＣＣＤ：Charge Coupled Devices）により構成されている。
【００８７】
本実施形態における第１の発光手段４１０においては、複数のＬＥＤモジュール４１２の配置が、イメージセンサモジュール１０１の場合と異なっている。縮小光学系タイプにおいては、レンズ６３０の影響を考慮し、主走査方向にｘにおける両端部において、中央部よりも大きな光量が要求される。このため、図１０に示すように、本実施形態における複数のＬＥＤモジュール４１２は、主走査方向ｘにおける両端部においては比較的狭いピッチ（間隔ｄＰ１）で配置されており、主走査方向ｘにおける中央部においては比較的広いピッチ（間隔ｄＰ２）で配置されている。また、本実施形態においては、主走査方向ｘにおける右方側の端に位置するＬＥＤモジュール４１２ａは、第１の基板４１１の主走査方向ｘにおける右方側の端から距離ｄＡの位置に設置されている。主走査方向ｘにおける左方側の端に位置するＬＥＤモジュール４１２ｂは、第１の基板４１１の主走査方向ｘにおける左方側の端から距離ｄＢの位置に設置されている。イメージセンサモジュール１０１の場合と同様に、距離ｄＡは距離ｄＢよりも長くなっている。具体的には、距離ｄＡは、距離ｄＢよりも間隔ｄＰ１の半分の長さ（ｄＰ１／２）だけ長くなっている。
【００８８】
本実施形態における第２の発光手段４２０においては、複数のＬＥＤモジュール４２２の配置が、複数のＬＥＤモジュール４１２の配置に応じて定められている。本実施形態における各ＬＥＤモジュール４２２は、各ＬＥＤモジュール４１２からずれた位置に配置されている。たとえば、複数のＬＥＤモジュール４２２のうち、主走査方向ｘにおける図１０中右端のＬＥＤモジュール４２２ａは、ＬＥＤモジュール４１２ａに対して、主走査方向ｘにｄＰ１／２だけ図１０中右方にずれた位置に設置されている。また、主走査方向ｘにおける図１０中左端のＬＥＤモジュール４２２ｂは、ＬＥＤモジュール４１２ｂに対して、主走査方向ｘにｄＰ１／２だけ図１０中右方にずれた位置に設置されている。主走査方向ｘにおける中央部においては、ＬＥＤモジュール４２２は、ＬＥＤモジュール４１２に対して、主走査方向ｘにｄＰ２／２だけ図１０中右方ずれた位置に設置されている。
【００８９】
このような配置によれば、複数のＬＥＤモジュール４２２は、ＬＥＤモジュール４２２ａを除き、それぞれ、主走査方向ｘにおいて、隣り合う１対のＬＥＤモジュール４１２の中間に配置されることになる。このため、第２の発光手段４２０は、第１の発光手段４１０において生じる明暗を補うことができる。
【００９０】
なお、縮小光学系タイプのイメージセンサモジュールにおいても、イメージセンサモジュール１０２〜１０４で示したような、第１の基板４１１と第２の基板４２１との位置をずらす方法を採用することは可能である。
【００９１】
図１１〜図１３は、本発明の第６実施形態に基づくイメージセンサモジュールを示している。本実施形態のイメージセンサモジュール１０６は、第１の発光手段４１０および第２の発光手段４２０の構成がイメージセンサモジュール１０１の場合と異なっている。イメージセンサモジュール１０６のその他の構成は、イメージセンサモジュール１０１と同様となっている。
【００９２】
本実施形態における第１の発光手段４１０は、１対の第１の発光部４３１Ａ，４３１Ｂと、導光体４５０と、導光体４５０の大部分を覆うリフレクタ４６０とを有している。第１の発光部４３１Ａは、ＬＥＤモジュール４４１と、ＬＥＤモジュール４４１を保持するＬＥＤケース４４２と、調整部材４４３とを有している。調整部材４４１は、ＬＥＤケース４４２の主走査方向ｘにおける図１２中右端部に取り付けられている。第１の発光部４３１ＡにおけるＬＥＤモジュール４４１は、主走査方向ｘにおける図１２中左方に向けて白色光を出射するように構成されている。第１の発光部４３１Ｂは、ＬＥＤモジュール４４１と、ＬＥＤモジュール４４１を保持するＬＥＤケース４４２とを有している。第１の発光部４３１ＢにおけるＬＥＤモジュール４４１は、主走査方向ｘにおける図１２中右方に向けて白色光を出射するように構成されている。第１の発光部４３１Ａは、調整部材４４３の分だけ、第１の発光部４３１Ｂよりも主走査方向ｘに長くなっている。
【００９３】
本実施形態における第２の発光手段４２０は、１対の第２の発光部４３２Ａ，４３２Ｂと、導光体４５０と、導光体４５０の大部分を覆うリフレクタ４６０とを有している。第２の発光部４３２Ａは、ＬＥＤモジュール４４１と、ＬＥＤモジュール４４１を保持するＬＥＤケース４４２とを有している。第２の発光部４３２ＡにおけるＬＥＤモジュール４４１は、主走査方向ｘにおける図１２中左方に向けて白色光を出射するように構成されている。第２の発光部４３２Ｂは、ＬＥＤモジュール４４１と、ＬＥＤモジュール４４１を保持するＬＥＤケース４４２と、調整部材４４３とを有している。第２の発光部４３２ＢにおけるＬＥＤモジュール４４１は、主走査方向ｘにおける図１２中右方に向けて白色光を出射するように構成されている。調整部材４４１は、ＬＥＤケース４４２の主走査方向ｘにおける図１２中左端部に取り付けられている。第２の発光部４３２Ｂは、調整部材４４３の分だけ、第２の発光部４３２Ａよりも主走査方向ｘに長くなっている。
【００９４】
導光体４５０は、たとえばアクリル樹脂製であり、主走査方向ｘに長く延びる棒状である。図１３に示すように、導光体４５０は断面略円形であり、その一部がリフレクタ４６０から露出している。このリフレクタ４６０から露出する部分の反対側には反射部４５１が設けられている。図１４は、導光体４５０の反射部４５１が正面となるようにした図である。図１４に示すように、反射部４５１は、主走査方向ｘにおける略全長に渡って設けられている。さらに、反射部４５１には、主走査方向ｘに並べられた複数の溝部４５２が形成されている。
【００９５】
本実施形態では、第１の発光手段４１０および第２の発光手段４２０において同一の型の導光体４５０が用いられている。第１の発光手段４１０においては、導光体４５０は主走査方向ｘにおいて１対の第１の発光部４３１Ａ，４３１Ｂに挟まれている。導光体４５０の図１２中右端面から第１の発光部４３１Ａから出射される光が導光体４５０の内部に取り込まれ、導光体４５０の図１２中左端面から第１の発光部４３１Ｂから出射される光が導光体４５０の内部に取り込まれる。第２の発光手段４２０においては、導光体４５０は主走査方向ｘにおいて１対の第２の発光部４３２Ａ，４３２Ｂに挟まれている。導光体４５０の図１２中右端面から第２の発光部４３２Ａから出射される光が導光体４５０の内部に取り込まれ、導光体４５０の図１２中左端面から第２の発光部４３２Ｂから出射される光が導光体４５０の内部に取り込まれる。
【００９６】
リフレクタ４６０は、たとえば白色の樹脂製であり、導光体４５０から光が漏れるのを防いでいる。導光体４５０のリフレクタ４６０から露出する部分から光は出射される。
【００９７】
導光体４５０の主走査方向ｘにおける両端部から入射した光は、主走査方向ｘの内部を反射しながら主走査方向ｘに進行していく。反射部４５１で反射された光は、リフレクタ４６０から露出する部分に向かい、そこから外部へと出射される。複数の溝部４５２においては、光が散乱されやすく、外部へ光が出射されやすい傾向がある。導光体４５０では、主走査方向ｘにおける両端部において複数の溝部４５２の設置密度を小さく、主走査方向ｘにおける中央部において複数の溝部４５２の設置密度を大きくなっている。これは、主走査方向ｘに沿って出射される光量が一定となるように意図してのことである。
【００９８】
このような構成の第１の発光手段４１０および第２の発光手段４２０においては、複数の溝部４５２の配置に応じた光のムラが生じることがあった。
【００９９】
図１５は、第１の発光手段４１０と第２の発光手段４２０との差異を説明するための図である。図１５では、説明のため、リフレクタ４６０を省略している。第１の発光手段４１０は、図１５における図中右方の端に主走査方向ｘにおいて比較的長い第１の発光部４３１Ａが配置され、左方の端に比較的短い第１の発光部４３１Ｂが配置されている。それに対して、第２の発光手段４２０では、図１５における図中右方の端に主走査方向ｘにおいて比較的短い第２の発光部４３２Ａが配置され、左方の端に比較的長い第２の発光部４３２Ｂが配置されている。このため、導光体４５０の位置が、第１の発光手段４１０と第２の発光手段４２０とで調整部材４４３の長さ分だけずれることになる。
【０１００】
本実施形態のイメージセンサモジュール１０６では、適切な調整部材４４３の長さを選択することで、第２の発光手段４２０における複数の溝部４５２が、第１の発光手段４１０における隣り合う１対の溝部４５２に挟まれるような配置とすることができる。このため、第１の発光手段４１０および第２の発光手段４２０の光の明るさのムラを相殺することが可能である。
【０１０１】
なお、本実施形態では、第１の発光手段４１０および第２の発光手段４２０で同じ導光体４５０を用いているが、両者で異なる導光体４５０を用いてもよい。たとえば、予め、溝部４５２の配置が互いにずれている２つの導光体４５０を用意しておけば、第１の発光手段４１０と第２の発光手段４２０とを主走査方向ｘにおいて同一の位置に配置した場合でも明るさのムラを相殺することが可能である。
【０１０２】
図１６〜図１８には、イメージセンサモジュール１０６の変形例を示している。図１１〜図１３に示したイメージセンサモジュール１０６では、調整部材４４３を用いて第１の発光手段４１０と第２の発光手段４２０とにおいて、導光体４５０の位置をずらしている。図１６〜図１８では調整部材４４３を用いない例を示している。
【０１０３】
図１６に示す変形例では、イメージセンサモジュール１０２の場合と同様に、２種類のスペーサ５３１，５３２を用いることで、第１の発光手段４１０と第２の発光手段４２０との位置をずらしている。
【０１０４】
主走査方向ｘにおいて比較的長いスペーサ５３１の１つは、第１の発光部４３１Ａの図１６中右方側の端部と第１の凹部２１０の図１６中右方側の端部との間に配置されている。もう１つのスペーサ５３１は、第２の発光部４３２Ｂの図１６中左方側の端部と第２の凹部２２０の図１６中左方側の端部との間に配置されている。
【０１０５】
主走査方向ｘにおいて比較的短いスペーサ５３２の１つは、第１の発光部４３１Ｂの図１６中左方側の端部と第１の凹部２１０の図１６中左方側の端部との間に配置されている。もう１つのスペーサ５３２は、第２の発光部４３２Ａの図１６中右方側の端部と第２の凹部２２０の図１６中右方側の端部との間に配置されている。
【０１０６】
図１７に示す変形例では、イメージセンサモジュール１０３の場合と同様に、スペーサ５３３を用いることで、第１の発光手段４１０と第２の発光手段４２０との位置をずらしている。
【０１０７】
図１７に示すように、第１の発光部４３１Ｂの主走査方向ｘにおける図中左方側の端部が第１の凹部２１０の図中左方側の端部に当接している。また、第２の発光部４３２Ａの主走査方向ｘにおける図中右方側の端部が第２の凹部２２０の図中右方側の端部に当接している。
【０１０８】
スペーサ５３３の１つは、第１の発光部４３１Ａの主走査方向ｘにおける図中右方側の端部と、第１の凹部２１０の主走査方向ｘにおける図中右方側の端部との間に設けられている。スペーサ５３３のもう１つは、第２の発光部４３２Ｂの主走査方向ｘにおける図中左方側の端部と、第２の凹部２２０の主走査方向ｘにおける図中左方側の端部との間に設けられている。
【０１０９】
図１８に示す変形例では、イメージセンサモジュール１０４の場合と同様に、第１の凹部２１０と第２の凹部２２０との位置をずらすことで、第１の発光手段４１０と第２の発光手段４２０との位置をずらしている。
【０１１０】
図１８に示すように、第１の凹部２１０の主走査方向ｘにおける図中右方側の端部は、第２の凹部２２０の主走査方向ｘにおける図中右方側の端部よりも主走査方向ｘにおいて左方側に位置している。また、第１の凹部２１０の主走査方向ｘにおける図中左方側の端部は、第２の凹部２２０の主走査方向ｘにおける図中左方側の端部よりも主走査方向ｘにおいて左方側に位置している。
【０１１１】
本発明に係るイメージセンサモジュールは、上述した実施形態に限定されるものではない。本発明に係るイメージセンサモジュールの各部の具体的な構成は、種々に設計変更自在である。たとえば、上述した実施形態ではケース２００は金属製であるが、樹脂製のものを用いても構わない。
【符号の説明】
【０１１２】
１０１〜１０６  イメージセンサモジュール
２００  ケース
２１０  第１の凹部
２２０  第２の凹部
２３０  溝
２４０，２５０  開口部
３００  読取基板
４１０  第１の発光手段
４１１  第１の基板
４１２  ＬＥＤモジュール（第１の発光素子）
４２０  第２の発光手段
４２１  第２の基板
４２２  ＬＥＤモジュール（第２の発光素子）
４３１Ａ，４３１Ｂ  第１の発光部
４３２Ａ，４３２Ｂ  第２の発光部
４４１  ＬＥＤモジュール
４４２  ＬＥＤケース
４４３  調整部材
４５０  導光体
４５１  反射部
４５２  溝部
４６０  リフレクタ
５１０  第１の支持部材
５１１  第１の斜面
５２０  第２の支持部材
５２１  第２の斜面
５３０，５３１，５３２，５３３  スペーサ
６００  レンズユニット
６１０  レンズ
６２０  レンズホルダ
６３０  レンズ
６４０  ミラー
７００  センサＩＣ（受光手段）
７１０  受光部
７１１  第１グループ
７１２  第２グループ
７１３  第３グループ
７２０  フィルタ（紫外光減衰手段）
７２１  第１フィルタ
７２２  第２フィルタ
７２３  第３フィルタ
７３０  パッド
８００  透明カバー
８００Ａ  帯状領域
８１０  第１の光拡散部材
８２０  第２の光拡散部材
８９０  読取対象物
ｘ      主走査方向
ｙ      副走査方向
ｚ      厚さ方向
【図１】
0005856790.tif 000002
【図２】
0005856790.tif 000003
【図３】
0005856790.tif 000004
【図４】
0005856790.tif 000005
【図５】
0005856790.tif 000006
【図６】
0005856790.tif 000007
【図７】
0005856790.tif 000008
【図８】
0005856790.tif 000009
【図９】
0005856790.tif 000010
【図１０】
0005856790.tif 000011
【図１１】
0005856790.tif 000012
【図１２】
0005856790.tif 000013
【図１３】
0005856790.tif 000014
【図１４】
0005856790.tif 000015
【図１５】
0005856790.tif 000016
【図１６】
0005856790.tif 000017
【図１７】
0005856790.tif 000018
【図１８】
0005856790.tif 000019
【図１９】
0005856790.tif 000020
【図２０】
0005856790.tif 000021